(57)【要約】      （修正有）【課題】ヘラ板の長さ方向に所定の距離をおいて略へ字形状に屈折形成し、更に延出してるヘラ板と基板とが直線状になるように形成して容易に的確に壁紙を切断する事が出来る地ベラを提供する。【解決手段】ヘラ板３の長さ方向に所定の距離をおいた位置に、下向きに略へ字形状に屈曲形成し更に延出してるヘラ板の平面と支持基板の平面が直線状になるように形成し、ヘラ板の適宜な位置に滑り止めゴム５を貼着して容易に的確に壁紙を切断する。【選択図】図２
0003222001.tif 000002
【実用新案登録請求の範囲】
【請求項１】
巾広状の支持基板の上方部に握持部を立ち上がり状に延出し、前記支持基板の下方部にヘラ板を固定した地ベラにおいて、ヘラ板の長さ方向に所定の距離をおいてヘラ板を下向きに略へ字形状に屈折形成し更に延出したヘラ板の所定の距離をおいて、前記ヘラ板を折り上げて前記支持基板の平面と前記ヘラ板の平面が直線状になるように形成したことを特徴とする地ベラ。
【請求項２】
前記ヘラ板の適宜な位置に滑り止めのゴムを貼着してなる請求項１記載の地ベラ。
【考案の詳細な説明】
【技術分野】
【０００１】  本考案は、壁紙を貼った際の余剰部分をカットする時にカッターを案内するための道具で、ヘラ板に屈折形成を施した地ベラに関するものである。
【背景技術】
【０００２】  従来、上下の壁紙の接し合うジョイント部を仕上げるには、隣り合う上下の壁紙のジョイント部を数センチ重ね合わせた後、地ベラや定規を押し当てて、地ベラや定規の先端側縁に沿いカッターの刃先を移動させて、重ね切断し余剰部分を取り除いている。また施工箇所が狭い入り隅部分を切断する時には地ベラや、ヘラ板をへ字形状に屈曲させた地ベラを使用して施工している。
【先行技術文献】
【特許文献】
【０００３】
【特許文献１】実開平０６−０６４７７５号公報
【考案の概要】
【考案を解決しようとする課題】
【０００４】  従来、上下の壁紙の接し合うジョイント部の余剰部分の切断の際、定規や一般的な地ベラやヘラ板をへ字形状に屈曲させた地ベラで一直線に切断する際には、地ベラを押し当てヘラ板の先端側縁に沿いカッターの刃先を移動させてカッターの刃先の入射角度が一定になるように、地ベラの接地角度を手首の不安定な力加減での調整が必要で、接地角度を保つことは手首に負担がかかり、熟練者でも継続して一直線に切断することは容易でない。またジョイント部の余剰部分の切断箇所や、特に施工箇所が狭い入り隅部分を切断する時は接地角度の微妙な変動により壁紙の切断箇所が見えにくくなる事が多々あったが、本考案の地ベラは一定の角度でへ字形状に屈折形成し、さらに地ベラの支持基板と一直線状になるように屈折形成しているので、地ベラの接地角度を調整しなくとも切断箇所の接地面に死角が生じないので、より的確な作業が出来る。また一般的な地ベラやヘラ板をへ字形状に屈曲させた地ベラで壁紙を切断している時には、力加減により地ベラの押さえの安定性が欠くことにより、ヘラ板が壁紙面上で微妙に滑ってずれ動く事が多々あった。本考案は、上記問題を解決するために壁紙貼りの作業を敏速、的確に行うことが出来る地ベラを提供することを目的としたものである。
【問題を解決する手段】
【０００５】  ヘラ板の長さ方向に所定の距離をおいて略へ字形状に屈折形成し、更に延出したヘラ板を所定の距離をおいて上向きに折り上げてヘラ板の平面と支持基板の平面とが直線状になるように形成し，前記ヘラ板の適宜な位置に滑り止めゴムを貼着して問題を解決している。
【考案の効果】
【０００６】  上述の様に、本考案のヘラ板は長さ方向に所定の距離をおいた位置に、ヘラ板を下向きに略へ字形状に屈折形成して、更に延出したヘラ板を所定の距離をおいてヘラ板を上向きに折り上げてヘラ板の平面と前記支持基板の平面が直線状になるように形成しているので、地ベラを壁紙に押し当てヘラ板の先端側縁に沿いカッターの刃先を移動させてカッターの刃先の入射角度が一定になるので、手首で地ベラの接地角度を調整する必要がなく、ヘラ板の先端側縁に沿いカッターの刃先を移動させだけで、一直線の切断が継続して熟練者でなくとも容易に出来る。
【０００７】  またジョイント部の余剰部分の切断の際、一般的な地ベラやヘラ板をへ字形状に屈曲させた地ベラで壁紙を切断している時には、手首の力加減で地ベラの押さえの安定性に欠けて、ヘラ板の変形の割合（ひずみ）が一定しないために、ヘラ板の先端が壁紙面上で微妙にずれ動いてしまうので一直線状を継続する切断は困難であったが、本考案のヘラ板は長さ方向に所定の距離をおいた位置にのヘラ板を一定の角度で下向きに傾斜させて略へ字形状に屈折形成し、さらに地ベラの支持基板と一直線状になるように形成しているので、ヘラ板に押し圧を掛けてもヘラ板の変形の割合（ひずみ）が二段階の屈折形成により吸収されるので、ヘラ板に押し圧を掛けてもヘラ板の変形の割合（ひずみ）が一定に保たれるので押さえの安定性が良くなり、また少しの押さえ込みでより大きな押し圧になる。さらに壁紙と接地するヘラ板の平面側の適宜な位置に滑り止めのゴムを貼着しているので、地ベラを押さえ込んだ時にゴムが壁紙の上面にフィットし安定性が増すので、作業者の手首の負担も軽減されて安定した一直線状の切断を継続する事が容易に行える。
【０００８】  さらに、施工箇所が狭い入り隅部分を切断する時には一般的な地ベラや、ヘラ板をへ字形状に屈曲させた地ベラを使用して施工しているが、一般的な地ベラの接地角度は手首の微妙な変動により壁紙の切断箇所が見えにくく、施工に支障をきたす事が多々あったが、本考案の地ベラは一定の角度で略へ字形状に屈折形成し、さらに地ベラの支持基板と一直線状になるように屈折形成しているので、地ベラの接地角度が一定しており調整をしなくとも接地面の死角がなくなり、より的確な作業が出来る。
【０００９】  そして、従来の作業では一般的な地ベラは施工箇所が狭い入り隅部分を切断する時に使用し、ジョイント部分の切断には定規を使用するのが常で、作業箇所により定規と地ベラを使い分ける必要があったが、本考案の地ベラは施工箇所が狭い入り隅部分やジョイント部の切断にも地ベラ一本のみで対応出来るので作業効率が上がる。
【図面の簡単な説明】
【００１０】
【図１】本考案の一部欠損正面図である。
【図２】本考案のヘラ板の拡大断面図である。
【考案を実施するための形態】
【００１１】  巾広状の支持基板の上方部に握持部を立ち上がり状に延出し、前記支持基板の下方部にヘラ板を固定した地ベラにおいて、ヘラ板の長さ方向に所定の距離をおいてヘラ板を略へ字形状に屈折形成し、更に延出したヘラ板の所定の距離をおいてヘラ板の平面と支持基板の平面とが直線状になるように屈折形成し，前記ヘラ板の適宜な位置に滑り止めのゴムを貼着している。
【実施例】
【００１２】  以下、本考案の実施の形態を図に基づいて説明する。１は巾広状の支持基板であって上方部に握持部２を立ち上がり状に延出している。３はステンレス等の薄板状の弾力性のある金属板を切削加工で形成されたヘラ板で、支持基板１の下方部にリベット４で固定されておりヘラ板３の長さ方向に所定の距離をおいた位置でヘラ板３を下向きに傾斜させて略へ字形状に屈曲形成して更に延出したヘラ板３は所定の距離をおいて上向きに屈折形成して、ヘラ板３と前記基板１の平面とが一直線状になるように形成し、ヘラ板３の適宜な位置に滑り止めのゴム５を貼着している。【００１３】  本考案は以上の構成であるから、地ベラのヘラ板３は長さ方向に所定の距離をおいた位置から下向きに３０度傾斜させて略へ字形状に屈折形成して、更に所定の距離をおいて延出したヘラ板３を上向きに３０度折り上げてヘラ板３の平面と支持基板１の平面とが一直線状になるように形成している。なお傾斜角度は適宜適切な角度に屈折形成は可能である。この地ベラを使用する時は略へ字形状の山折り側を上側にして地ベラのヘラ板３の先端を壁紙に押し当て、ヘラ板３の先端側縁に沿いカッターの刃先を移動させて壁紙の余剰分を切断するもので地ベラを押し当てヘラ板３の先端側縁に沿いカッターの刃先を移動させるので刃先の入射角度が一定になり、地ベラの接地角度を手首で調整する必要がなく、一直線状の切断が容易に継続して行える。そして地ベラのヘラ板３は一定の角度で略へ字形状に屈折形成し更に延出したヘラ板３の平面と支持基板１の平面とが一直線状になるように形成しているので、少しの押さえ込みでより大きな押し圧になるので、押さえの安定性が良くなり、さらに壁紙と接地するヘラ板３の平面側の適宜な位置に滑り止めのゴム５を貼着しているので、地ベラを押さえ込んだ時にゴム５が壁紙の上面にフィットし安定性が倍増するので、作業者の手首の負担も軽減されて安定した一直線に切断する継続作業が容易に行える。また一般の地ベラやヘラ板をへ字形状に屈曲させた地ベラで壁紙を切断している時には手首の力加減により地ベラの押さえの安定性が欠き、地ベラの接地角度の変動により、壁紙の切断箇所が見えにくくなる事が多々あったが、本考案の地ベラのヘラ板３は一定の角度でへ字形状に屈折形成し、さらに地ベラの基板１と一直線状になるように屈折形成しているので、地ベラの接地角度を調整しなくとも接地面の死角が大幅になくなり、より的確な作業が実施できる。さらに従来の作業では地ベラは狭い入り隅部分を切断する時に使用、ジョイント部分の切断には定規を使用するのが常であったが、本考案の地ベラは狭い入り隅部分やジョイント部の切断にも、地ベラ一本で対応出来るので作業効率が上がるものである。
【産業上の利用可能性】
【００１４】  本考案は、地ベラを製造する産業で利用される。
【符号の説明】
【００１５】１  支持基板
２  握持部
３  ヘラ板
４  リベット
５  ゴム
【図１】
0003222001.tif 000003
【図２】
0003222001.tif 000004